(57)【要約】      （修正有）【課題】情報カードを大きくして物品に関する多くの情報量に対応し、また、情報カードの他、物品を簡易に包装する包装シートとしても使用できる情報・包装シート付包装用箱を提供する。【解決手段】この包装用箱Ｂ１は、箱の周面にこの箱に収容する物品を被包可能な大きさ、形状に切り取り線を付設されて、箱の周面に物品を包装可能なシートＳを切り取り可能に備え、このシートＳを、シートの表面に物品に関する各種の情報を表示して情報シートとして、又は物品を簡易に包装するための包装シートとして、又はその両方を兼用する情報、包装シートとして使用する。【選択図】図５
0003199781.tif 000002
【実用新案登録請求の範囲】
【請求項１】
箱の周面に前記箱に収容する物品を被包可能な大きさ、形状に切り取り線を付設されて、前記箱の周面に前記物品を包装可能なシートを切り取り可能に備え、
前記シートを、前記シートの表面に前記物品に関する各種の情報を表示して情報シートとして、又は前記物品を簡易に包装するための包装シートとして、又はその両方を兼用する情報、包装シートとして使用する、
ことを特徴とする情報・包装シート付き包装用箱。
【請求項２】
切り取り線は一端に切り取り始端として凸形状又は凹形状の切り取り線を有する請求項１に記載の情報・包装シート付き包装用箱。
【請求項３】
箱の周面に、当該周面から切り取られたシートを物品の外形に合せて折り曲げ可能に、折り曲げ線が付けられる請求項１又は２に記載の情報・包装シート付き包装用箱。
【請求項４】
箱の周面から切り取られたシートで物品を包装しこの状態を固定保持するのに、輪ゴム、紐を含む結束部材が用いられる請求項１乃至３のいずれかに記載の情報・包装シート付き包装用箱。
【請求項５】
箱は、４側面と、前記４側面の両端を封じる蓋とを備え、切り取り線は、前記４側面のうちの少なくとも連接される３側面間に跨って付設される請求項１乃至４のいずれかに記載の情報・包装シート付き包装用箱。
【請求項６】
折り曲げ線は、箱の少なくとも連接される３側面間に付けられ、前記箱を箱形にするための折り曲げ線と、前記３側面のうち他端側又は一端側の面に前記折り曲げ線と平行に付けられ、物品の消費により減少する前記物品の嵩、高さ又は厚みに応じた物品の外形に合せて折り曲げ可能な１本又は複数本の補助折り曲げ線とからなる請求項５に記載の情報・包装シート付き包装用箱。
【請求項７】
箱は、４側面と、前記４側面の両端を封じるフラップ及び蓋とを備え、切り取り線は、前記４側面のうちの少なくとも連接される３側面と他の側面との間、及び前記３側面のうち両端に蓋又はフラップを有する側面とその両端の蓋又はフラップとの間に付設される請求項１乃至４のいずれかに記載の情報・包装シート付き包装用箱。
【請求項８】
折り曲げ線は、箱の少なくとも連接される３側面間に付けられ、前記箱を箱形にするための折り曲げ線と、前記３側面のうち他端側の面又は一端側の面に前記折り曲げ線と平行に付けられ、前記他端側の面と前記一端側の面とを前記他端側の面と前記一端側の面との間の面上に重合して折り畳むための補助折り曲げ線とからなる請求項７に記載の情報・包装シート付き包装用箱。
【考案の詳細な説明】
【技術分野】
【０００１】
本考案は、医薬品などの物品の包装に使用する包装用の箱に関し、特に、箱の一部を切り取り、情報シート（箱に収容する物品に関する各種の情報を表示したシート）として及び／又は包装シート（箱に収容する物品を箱の開封後、簡易に包装するためのシート）として、使用できるようにした情報・包装シート付き包装用箱に関する。
【背景技術】
【０００２】
近年、医薬品を包装する箱の一部を切り取り、情報カード（医薬品に関する各種の情報を表示したカード）として使用できるようにした情報カード付き包装用箱が提案されている。この種の包装用箱の一例が特許文献１により開示されている。
この文献１の包装用箱は、角筒状の周壁を形成するための複数の側板と、この複数の側板からなる角筒状体の一対の開口端面を各別に閉じる、側板から延出形成された端板とを備え、一方の端板は、その一方の開口端面を閉じる端板主部と、この端板主部から延出する端板延出部とを有する。端板延出部は、端板延出部基部、端板延出部切離し部及び端板延出部先端部からなり、その全体が、端板が延出形成された側板に対向する側板である正面側板の表面に重ね合わせられ、その正面側板の表面に端板延出部先端部において固定される。また、この端板延出部は、端板延出部基部と端板延出部切離し部の境目、及び端板延出部切離し部と端板延出部先端部の境目にそれぞれ第１切取線が形成され、端板延出部が端板延出部先端部で正面側板に固定された状態で第１切取線のうちの１本が破断されれば箱は開封され、２本が破断されれば箱が開封されるとともにその２本の第１切取線で挟まれた端板延出部切離し部が切り離されて情報カードとして利用可能になる。
このような構成により、第１切取線の破断による開封箇所が箱の最上部になるので、開封後、物品を収容したままにしても、物品が箱から大きくはみ出すことがない上、物品を再度箱に封緘することができる。また、２本の第１切取線を破断することによって箱が開封されるとともに端板延出部切離し部が得られる。この端板延出部切離し部は、２本の第１切取線について任意に定められた間隔に相当する寸法を有し、細長い形態ではない情報カードとして利用可能である。すなわち、箱の開封とともに得られる端板延出部切離し部を、情報量が多く一覧性も高い情報カードとして得ることができる。なお、物品に関する情報としては、物品の名前（商品名等）、特徴、個数（１つの物品が複数の物品からなる場合はその物品の個数や量）、使用法の説明、使用期限、製造番号、注意書き、バーコード等の各種コード、製造会社名等のうち、所望の情報を文字、記号等で表わした情報が挙げられる。物品が医薬品である場合は、その調剤管理に有用な情報、特に医薬品の取り違えによる医療事故の防止に有用な各種情報が挙げられる。また、この情報カードは、箱内部から取り出した物品に、抜落ちや損傷を生じさせることなく括り付け可能である。この場合、開封して商品が取り出されて無用になった箱が廃棄される際に、この情報カードを、箱から取り出された商品に輪ゴムやひも等の括付部材によって容易かつ見栄えよく、また見やすく括り付けることができる。
【先行技術文献】
【特許文献】
【０００３】
【特許文献１】実用新案登録第３１６７２７７号公報
【考案の概要】
【考案が解決しようとする課題】
【０００４】
しかしながら、従来の情報カード付きの包装用箱では、情報カードが箱の一側面の一部にのみ切り取り可能に形成されるため、包装物品に関する情報を印刷するスペースが箱の一側面の範囲内に制限され、多くの情報量に対応することができない、という問題がある。
また、箱の一側面の一部のみが情報カードとして利用されるだけなので、箱が開封後廃棄される場合は、箱の残部が無駄になり、箱の活用効率が悪い、という問題がある。
【０００５】
本考案は、このような従来の問題を解決するものであり、この種の包装用箱において、情報カードを可及的に大きくして、包装物品に関する多くの情報量に対応できるようにすること、このシートを情報カードの他、箱から取り出された物品を簡易に包装するための包装シートとして使用できるようにして、箱の利用性を拡大し、開封後の箱の活用効率を高めること、を目的とする。
【課題を解決するための手段】
【０００６】
上記目的を達成するために、本考案の情報・包装シート付き包装用箱は、箱の周面に前記箱に収容する物品を被包可能な大きさ、形状に切り取り線を付設されて、前記箱の周面に前記物品を包装可能なシートを切り取り可能に備え、前記シートを、前記シートの表面に前記物品に関する各種の情報を表示して情報シートとして、又は前記物品を簡易に包装するための包装シートとして、又はその両方を兼用する情報、包装シートとして使用する、ことを要旨とする。
また、この包装用箱は、次のように具体化される。
（１）切り取り線は一端に切り取り始端として凸形状又は凹形状の切り取り線を有する。
（２）箱の周面に、当該周面から切り取られたシートを物品の外形に合せて折り曲げ可能に、折り曲げ線が付けられる。
（３）箱の周面から切り取られたシートで物品を包装しこの状態を固定保持するのに、輪ゴム、紐を含む結束部材が用いられる。
（４）箱は、４側面と、前記４側面の両端を封じる蓋とを備え、切り取り線は、前記４側面のうちの少なくとも連接される３側面間に跨って付設される。
この場合、折り曲げ線は、箱の少なくとも連接される３側面間に付けられ、前記箱を箱形にするための折り曲げ線と、前記３側面のうち他端側又は一端側の面に前記折り曲げ線と平行に付けられ、物品の消費により減少する前記物品の嵩、高さ又は厚みに応じた物品の外形に合せて折り曲げ可能な１本又は複数本の補助折り曲げ線とからなることが好ましい。
（５）箱は、４側面と、前記４側面の両端を封じるフラップ及び蓋とを備え、切り取り線は、前記４側面のうちの少なくとも連接される３側面と他の側面との間、及び前記３側面のうちの１側面とその両端の前記蓋又は前記フラップとの間に付設される。
この場合、折り曲げ線は、箱の少なくとも連接される３側面間に付けられ、前記箱を箱形にするための折り曲げ線と、前記３側面のうち他端側の面又は一端側の面に前記折り曲げ線と平行に付けられ、前記他端側の面と前記一端側の面とを前記他端側の面と前記一端側の面との間の面上に重合して折り畳むための補助折り曲げ線とからなることが好ましい。
【考案の効果】
【０００７】
本考案の情報・包装シート付き包装用箱によれば、箱の周面に物品を被包可能な大きさ、形状に切り取り線を付設されて物品を包装可能なシートを切り取り可能に備え、このシートを、物品に関する各種の情報を表示して情報シートとして、又は物品を簡易に包装するための包装シートとして、又はその両方を兼用する情報、包装シートとして使用するようにしたので、箱から切り取ったシートを情報シートとして使用する場合は、従来の情報カードを可及的に大きくして、包装物品に関する多くの情報量に対応することができ、そして、このシートを情報カードの他、箱から取り出された物品を簡易に包装するための包装シートとして使用できるようにしたことで、箱の利用性を拡大し、開封後の箱の活用効率を高めることができる、という本考案独自の格別な効果を奏する。
【図面の簡単な説明】
【０００８】
【図１】本考案の第１の実施の形態における情報・包装シート付き包装用箱の構成を示す正面側から見た斜視図
【図２】同包装用箱の上面側から見た斜視図
【図３】同包装用箱の下面側から見た斜視図
【図４】同包装用箱の組み立て前の紙基材を示す平面図（展開図）
【図５】同包装用箱の情報・包装シートの使用例（箱の周面から情報・包装シートを切り取った状態）を示す図
【図６】同包装用箱の情報・包装シートの使用例（開封後の医薬品を情報・包装シートで包装した状態）を示す図
【図７】本考案の第２の実施の形態における情報・包装シート付き包装用箱の構成を示す正面側から見た斜視図
【図８】同包装用箱の上面側から見た斜視図
【図９】同包装用箱の下面側から見た斜視図
【図１０】同包装用箱の組み立て前の紙基材を示す平面図（展開図）
【図１１】同包装用箱の情報・包装シートの使用例（箱の周面から情報・包装シートを切り取った状態）を示す図
【図１２】同包装用箱の情報・包装シートの使用例（開封後の医薬品を情報・包装シートで包装した状態）を示す図
【図１３】本考案の第３の実施の形態における情報・包装シート付き包装用箱の構成を示す正面側から見た斜視図
【図１４】同包装用箱の背面側から見た斜視図
【図１５】同包装用箱の組み立て前の紙基材を示す平面図（展開図）
【図１６】同包装用箱の情報・包装シートの使用例（箱の周面から情報・包装シートを切り取った状態）を示す図
【図１７】同包装用箱の情報・包装シートの使用例（情報・包装シートの組み立て過程）を示す図
【図１８】同包装用箱の情報・包装シートの使用例（情報・包装シートの組み立て過程）を示す図
【図１９】同包装用箱の情報・包装シートの使用例（情報・包装シートの組み立て過程）を示す図
【図２０】同包装用箱の情報・包装シートの使用例（医薬品を情報・包装シートで包装する状態）を示す図
【考案を実施するための形態】
【０００９】
次に、この考案を実施するための形態について図を用いて説明する。なお、次の各実施の形態では、特に、ＰＴＰ包装の医薬品（この場合、錠剤やカプセルなどの医薬品が複数個ずつ１枚のＰＴＰシートに収納され、これが複数枚ずつ一まとめにされたもの）を包装するのに使用する情報・包装シート付き包装用箱を例示している。
【００１０】
図１、図２及び図３に第１の実施の形態を示している。
図１に示すように、情報・包装シート付き包装用箱Ｂ１（この実施の形態の説明において、単に包装用箱Ｂ１、箱Ｂ１と称する場合がある。）は、箱Ｂ１の周面にこの箱Ｂ１に収容する医薬品を被包可能な大きさ、形状に切り取り線Ｃ１を付設されて、箱Ｂ１の周面に医薬品を包装可能なシートＳを切り取り可能に備え、このシートＳをシートＳの表面に医薬品に関する各種の情報を表示して情報シートとして、また、医薬品を簡易に包装するための包装シートとして兼用する情報、包装シートＳ１として使用するものである。
また、この包装用箱Ｂ１では、切り取り線Ｃ１の一端は切り取り始端として凸形状の切り取り線Ｃ１１になっている。また、箱Ｂ１の周面には、この周面から切り取られたシートＳを医薬品の外形に合せて折り曲げ可能に、折り曲げ線Ｌ２、Ｌ３及びＬ３１−Ｌ３３（図２、図３参照）が付けられる。そして、このシートＳで医薬品を包装しこの状態を固定保持するのに、輪ゴム、紐を含む結束部材が用いられる。
【００１１】
この包装用箱Ｂ１は、図１、図２及び図３に示すように、４側面１１−１４（１５）と、４側面１１−１４の両端を封じる蓋２０，２１、２２，２３とを備えて構成される。この場合、４側面１１−１４（１５）はそれぞれ左右に長い長方形に形成され、この４側面１１−１４（１５）の左右両端にそれぞれ蓋２０，２１、２２，２３が略台形に形成される。
切り取り線Ｃ１は、４側面１１−１４（１５）のうちの少なくとも連接される３側面１２−１４間に跨って付設される。この場合、切り取り線Ｃ１は、箱Ｂ１の正面１２、上面１３及び背面１４の３側面間に跨って、一端に半円の凸形状を有し、物品を被包可能な大きさの略矩形状に付けられる。この場合、半円の凸形状の切り取り線Ｃ１１は、箱Ｂ１の正面１２と上面１３との間の折り曲げ部（Ｌ２）の中央から正面１２側に向けて半円の凸形状にミシン目線により形成される。略矩形状の切り取り線Ｃ１２は、正面側の一辺の切り取り線Ｃ１２１、左側の一辺の切り取り線Ｃ１２２、右側の一辺の切り取り線Ｃ１２３、背面側の一辺の切り取り線Ｃ１２４からなり、正面側の一辺の切り取り線Ｃ１２１が箱Ｂ１の正面１２と上面１３との間の折り曲げ部（Ｌ２）上で半円の凸形状の切り取り線Ｃ１１の両側から左右方向に向けて左右両端面に近接する所定の位置までジッパー線により形成され、左側の一辺の切り取り線Ｃ１２２が正面側の一辺の切り取り線Ｃ１２１の左端に連続して箱Ｂ１の上面１３及び背面１４の左側縁部の内側に当該縁部と平行にミシン目線により形成され、右側の一辺の切り取り線Ｃ１２３が正面側の一辺の切り取り線Ｃ１２１の右端に連続して箱Ｂ１の上面１３及び背面１４の右側縁部の内側に当該縁部と平行にミシン目線により形成され、背面側の一辺の切り取り線Ｃ１２４が箱Ｂ１の背面１４と下面１１との間の折り曲げ部（Ｌ４）上で左右の各辺の切り取り線Ｃ１２２、Ｃ１２３の背面１４側端部間にミシン目線により形成される。
折り曲げ線は、箱Ｂ１の少なくとも連接される３側面１２−１４間に付けられた箱Ｂ１を箱形にするための折り曲げ線と、３側面１２−１４のうち他端側又は一端側の面に折り曲げ線と平行に付けられ、医薬品の消費により減少する医薬品の嵩、高さ又は厚みに応じた医薬品の外形に合せて折り曲げ可能な１本又は複数本の補助折り曲げ線とからなる。この場合、折り曲げ線は、箱Ｂ１の正面１２と上面１３との間の折り曲げ線Ｌ２と、上面１３と背面１４との間の折り曲げ線Ｌ３と、背面１４に上面１３と背面１４との間の折り曲げ線Ｌ３から所定の間隔をおいて各折り曲げ線Ｌ２、Ｌ３と平行に所定の間隔で付けられた３本の補助折り曲げ線Ｌ３１、Ｌ３２、Ｌ３３とを有する。
なお、箱Ｂ１の正面１２の右側縁部側に右端面の蓋２１を切り離すための破断線Ｃ３１が略台形の溝形に、さらにその両端から右側縁部に沿って直線状に形成され、正面１２の左側縁部側にこの箱Ｂ１を廃棄するときに、箱Ｂ１が折り畳みやすくなるように、左端面の蓋２０を切り離すための破断線Ｃ３２が略円弧状に形成される。
【００１２】
この情報・包装シート付き包装用箱Ｂ１は、一枚のブランクシートから一体的に打ち抜かれて形成された一枚の紙基材（Ｐ１）からなり、この紙基材（Ｐ１）は各部が順次折り曲げられ、所定の各接着位置が接着固定されて組み立てられる。
【００１３】
図４にこの紙基材Ｐ１を示している。なお、この図４には紙基材Ｐ１の表面（組み立て後に表側となる面）が現れている。
図４に示すように、この紙基材Ｐ１は、全体が左右方向に長い直方体形状に組み立て可能に、直方体形状に組み立て後の状態で、下面１１、正面１２、上面１３、背面１４、及び下面１１に重合される背面１４と下面１１との連結面１５をなす相互に折り曲げ線Ｌ１−Ｌ４を介して連接して形成される４側面形状部Ｐ１１−Ｐ１５（下面形状部Ｐ１１、正面形状部Ｐ１２、上面形状部Ｐ１３、背面形状部Ｐ１４、及び連結面形状部Ｐ１５）と、下面形状部Ｐ１１及び上面形状部Ｐ１３の左右方向の両端にそれぞれ折り曲げ線Ｌ５，Ｌ６及びＬ７，Ｌ８を介して形成され、直方体形状に組み立て後の状態で下面左フラップ１６、下面右フラップ１７及び上面左フラップ１８、上面右フラップ１９をなす下面左フラップ形状部Ｐ１６、下面右フラップ形状部Ｐ１７及び上面左フラップ形状部Ｐ１８、上面右フラップ形状部Ｐ１９と、正面形状部Ｐ１２の左方向の一端に折り曲げ線Ｌ９を介して形成され、直方体形状に組み立て後の状態で左端面外蓋２０をなす左端面外蓋形状部Ｐ２０及び正面形状部Ｐ１２の右方向の一端に折り曲げ線Ｌ１０を介して形成され、直方体形状に組み立て後の状態で右端面内蓋２１をなす右端面内蓋形状部Ｐ２１と、背面形状部Ｐ１４の左方向の一端に折り曲げ線Ｌ１１を介して形成され、直方体形状に組み立て後の状態で左端面内蓋２２をなす左端面内蓋形状部Ｐ２２及び背面形状部Ｐ１４の右方向の一端に折り曲げ線Ｌ１２を介して形成され、直方体形状に組み立て後の状態で右端面外蓋２３をなす右端面外蓋形状部Ｐ２３と、を有する。
この場合、４側面形状部Ｐ１１−Ｐ１４はそれぞれ左右に長い長方形に形成され、Ｐ１５は左右に長い台形に形成され、正面形状部Ｐ１２、背面形状部Ｐ１４（の上下方向の高さ）がそれぞれ下面形状部Ｐ１１、上面形状部Ｐ１３（の前後方向の長さ）よりも少し大きく形成される。左端面外蓋形状部Ｐ２０、右端面内蓋形状部Ｐ２１、左端面内蓋形状部Ｐ２２、右端面外蓋形状部Ｐ２３はそれぞれ略台形状に形成され、左端面の各フラップ形状部Ｐ１６、Ｐ１８はそれぞれ略四角形に形成され、右端面の各フラップ形状部Ｐ１７、Ｐ１９はそれぞれ略逆Ｌ字形、略Ｌ字形に形成され、左端面の外蓋、内蓋形状部Ｐ２０、Ｐ２２、右端面の外蓋、内蓋形状部Ｐ２３、Ｐ２２はそれぞれ、各フラップ形状部Ｐ１６、Ｐ１７、Ｐ１８、Ｐ１９よりも大きく形成され、左端面外蓋形状部Ｐ２０、右端面外蓋形状部Ｐ２３はそれぞれ、左端面内蓋形状部Ｐ２２、右端面内蓋形状部Ｐ２１よりも少し大きく形成される。また、連結面形状部Ｐ１５は左右方向の長さが下、上面形状部Ｐ１１、Ｐ１３の左右方向の長さよりも少し小さく、前後方向の長さが下、上面形状部Ｐ１１、Ｐ１３の前後左右方向の長さよりも小さく形成される。
また、この場合、正面形状部Ｐ１２の右端に右端面内蓋形状部Ｐ２１を切り離すための破断線Ｃ３１が略台形の溝形に、さらにその両端から折り曲げ線Ｌ１０上に沿って直線状に形成され、この正面形状部Ｐ１２の左端に、この箱Ｂ１を廃棄するときに、箱Ｂ１が折り畳みやすくなるように、右端面外蓋形状部Ｐ２０を切り離すための破断線Ｃ３２が折り曲げ線Ｌ９の両端付近から正面形状部Ｐ１２内に略円弧状に形成される。
そして、この紙基材Ｐ１においては、箱Ｂ１の正面１２をなす正面形状部Ｐ１２、上面１３をなす上面形状部Ｐ１３及び背面１４をなす背面形状部Ｐ１４の連接する３側面形状部に跨って、切り取り線Ｃ１が一端に半円の凸形状を有して、医薬品を被包可能な大きさの略矩形状に付されて、この箱Ｂ１に包装される医薬品に関する各種の情報を表示し、かつこの箱Ｂ１の開封後の医薬品を簡易に包装可能なシートＳが切り取り可能に形成される。
この場合、半円の凸形状の切り取り線Ｃ１１は、箱Ｂ１の正面形状部Ｐ１２と上面形状部Ｐ１３との間の折り曲げ線Ｌ２の中央から正面形状部Ｐ１２側に向けて半円の凸形状にミシン目線により形成される。略矩形状の切り取り線Ｃ１２は、正面側の一辺の切り取り線Ｃ１２１、左側の一辺の切り取り線Ｃ１２２、右側の一辺の切り取り線Ｃ１２３、背面側の一辺の切り取り線Ｃ１２４からなり、正面側の一辺の切り取り線Ｃ１２１が正面形状部Ｐ１２と上面形状部Ｐ１３との間の折り曲げ線Ｌ２上で半円の凸形状の切り取り線Ｃ１１の両側から左右方向に向けて正面形状部Ｐ１２の左右の縁部に近接する所定の位置までジッパー線により形成され、左側の一辺の切り取り線Ｃ１２２が正面側の一辺の切り取り線Ｃ１２１の左端に連続して上面形状部Ｐ１３及び背面形状部Ｐ１４の左側縁部の内側に当該縁部と平行にミシン目線により形成され、右側の一辺の切り取り線Ｃ１２３が正面側の一辺の切り取り線Ｃ１２１の右端に連続して上面形状部Ｐ１３及び背面形状部Ｐ１４の右側縁部の内側に当該縁部と平行にミシン目線により形成され、背面側の一辺の切り取り線Ｃ１２４が背面形状部Ｐ１４と連結面形状部Ｐ１５との間の折り曲げ線Ｌ４上で左右の各辺の切り取り線Ｃ１２２、Ｃ１２３の背面側端部間にミシン目線により形成される。
また、この３面形状部の背面形状部Ｐ１４には、医薬品の消費により減少する医薬品の嵩、高さ又は厚みに応じた医薬品の外形に合せて折り曲げ可能に３本の補助折り曲げ線Ｌ３１、Ｌ３２、Ｌ３３が併せて形成される。この場合、３本の補助折り曲げ線Ｌ３１、Ｌ３２、Ｌ３３は、背面形状部Ｐ１４に上面形状部Ｐ１３と背面形状部Ｐ１４との間の折り曲げ線Ｌ３から所定の間隔をおいて折り曲げ線Ｌ３と平行に所定の間隔で付けられる。
紙基材Ｐ１はこのようにして形成され、この紙基材Ｐ１の４側面形状部Ｐ１１−Ｐ１４や左右の外蓋形状部Ｐ２０、Ｐ２３などに医薬品に関する各種の情報が印刷され、特に、正面形状部Ｐ１２、上面形状部Ｐ１３及び背面形状部Ｐ１４の連接する３側面形状部のシートＳ内には、とりわけ医療機関で利用性の高い情報が記入される。
【００１４】
このようにしてこの紙基材Ｐ１は各形状部Ｐ１１−Ｐ２３が各折り曲げ線Ｌ１−Ｌ１２を介して折り曲げられ、左右方向に長い直方体形状の箱形に組み立てられる。すなわち、正面１２をなす正面形状部Ｐ１２に対して下面形状部Ｐ１１が折り曲げ線Ｌ１を介して直角に折り曲げられて下面１１をなし、同様に、正面形状部Ｐ１２に対して上面形状部Ｐ１３が折り曲げ線Ｌ２を介して直角に折り曲げられて上面１３をなし、この上面１３に対して背面形状部Ｐ１４が折り曲げ線Ｌ３を介して直角に折り曲げられて背面１４をなす。そして、この背面１４に対して連結面形状部Ｐ１５が折り曲げ線Ｌ４を介して直角に折り曲げられ、下面１１の内側に重合されて連結面１５をなす。この下面１１の内側で下面１１と連結面１５が糊を介して連結され、これにより４側面１１−１４が組み立てられる。この状態から、上面１３、下面１１の左右の各フラップ形状部Ｐ１８，Ｐ１９、Ｐ１６，Ｐ１７が折り曲げ線Ｌ７，Ｌ８、Ｌ５，Ｌ６を介して直角に折り曲げられて左右の各フラップ１８，１９、１６，１７をなし、正面１２、背面１４の各内蓋形状部Ｐ２１、Ｐ２２が折り曲げ線Ｌ１０、Ｌ１１を介して直角に折り曲げられて左右の内蓋２１、２２をなし、正面１２、背面１４の各外蓋形状部Ｐ２０、Ｐ２３が折り曲げ線Ｌ９、Ｌ１２を介して直角に折り曲げられて左右の外蓋２０、２３をなし、それぞれが順次重合される。そして、各外蓋２０、２３の内側で各外蓋２０、２３と各内蓋２１、２２が糊を介して連結されることにより、左右の端面が封止される。これにより、この紙基材Ｐ１は直方体形状の箱形に組み立てられ、この場合、正面１２、上面１３及び背面１４の３側面間に情報・包装シートＳ１が切り取り可能に設けられる。
【００１５】
包装用箱Ｂ１はこのようにして構成され、錠剤やカプセルなどの医薬品は複数個ずつ１枚のＰＴＰシート（プレススルーパックシート）に収納されて、このＰＴＰシートが所定の枚数ずつこの包装用箱Ｂ１に包装され、調剤薬局などの医療機関へ供給される。
そして、医療機関では、この包装用箱Ｂ１に収容された医薬品を使用するに際し、包装用箱Ｂ１を開封し、必要に応じて、この箱Ｂ１の正面１２、上面１３及び背面１４の３側面から情報・包装シートＳ１を切り取って使用することになる。
この情報・包装シートＳ１を使用する場合は、図５に示すように、一端の半円の凸状部をつまみにして引き上げることにより、情報・包装シートＳ１をジッパー線、ミシン目線に沿って切り取ることができる。この切り取った情報・包装シートＳ１は、図６に示すように、折り曲げ線Ｌ２、Ｌ３と補助折り曲げ線Ｌ３１−Ｌ３３のいずれか、通常、補助折り曲げ線Ｌ３３を使って断面コ字形に折り曲げ、その中にすべて（複数枚）のＰＴＰシートを差し入れる。そして、この情報・包装シートＳ１の上から輪ゴムを掛けて全体を結束する。このようにして医薬品を情報・包装シートＳ１により包装して保管棚に備え置く。これにより、複数枚のＰＴＰシートは保管棚にばらつくことなく、整然と保管される。この医薬品の保管中、必要に応じて、情報・包装シートＳ１からその医薬品に関する情報を確認することができる。この情報・包装シートＳ１の場合、紙面が大きいので、医薬品に関する情報を広範囲に載せることができ、医薬品に関する情報を十分に提供することができる。また、情報量が少ない場合は、その分だけ、文字の大きさを大きくすることができ、情報を見やすくすることもできる。
一方、医薬品が供給される毎にＰＴＰシートの数が減り、ＰＴＰシートの嵩が徐々に減っていく。そうなると、このＰＴＰシートの嵩と情報・包装シートＳ１の上下の面（箱Ｂ１のときの正面１２と背面１４）の間隔は合わなくなってくる。この場合、ＰＴＰシートから情報・包装シートＳ１を取り外し、補助折り曲げ線Ｌ３３に代えて、ＰＴＰシートの嵩に合せて下面（箱Ｂ１のときの背面１４）の残りの２本の補助折り曲げ線Ｌ３２、Ｌ３１から適宜のものを選択して折り曲げることにより、ＰＴＰシートの嵩と情報・包装シートＳ１の上下の面（箱Ｂ１のときの正面１２と背面１４）の間隔とを合わせることができる。これにより、残りのＰＴＰシートを初期と同じようにばらつくことなしに整然と保管することができる。
【００１６】
以上説明したように、この情報・包装シート付き包装用箱Ｂ１によれば、箱Ｂ１の周面に医薬品を被包可能な大きさ、形状に切り取り線Ｃ１を付設されて医薬品を包装可能なシートＳを切り取り可能に備え、このシートＳを、医薬品に関する各種の情報を表示して情報シートとして、また、医薬品を簡易に包装するための包装シートとして兼用する情報、包装シートＳ１として使用するようにしたので、箱Ｂ１から切り取ったシートＳを情報シートとして使用する場合は、従来の情報カードを可及的に大きくして、包装する医薬品に関する多くの情報量に対応することができ、そして、このシートＳを情報カードの他、箱Ｂ１から取り出された医薬品を簡易に包装するための包装シートとして使用できるようにしたことで、箱Ｂ１の利用性を拡大し、開封後の箱Ｂ１の活用効率を高めることができる。
【００１７】
図７、図８及び図９に第２の実施の形態を示している。
図７に示すように、情報・包装シート付き包装用箱Ｂ２（この実施の形態の説明において、単に包装用箱Ｂ２、箱Ｂ２と称する場合がある。）は、上記包装用箱Ｂ１と同様に、箱Ｂ２の周面にこの箱Ｂ２に収容する医薬品を被包可能な大きさ、形状に切り取り線Ｃ２を付設されて、箱Ｂ２の周面に医薬品を包装可能なシートＳを切り取り可能に備え、このシートＳをシートＳの表面に医薬品に関する各種の情報を表示して情報シートとして、また、医薬品を簡易に包装するための包装シートとして兼用する情報、包装シートＳ２として使用するものである。
また、この包装用箱Ｂ２の場合、切り取り線Ｃ２は上記包装用箱Ｂ１とは反対に他端が切り取り始端として凹形状の切り取り線（図９参照）になっており、箱Ｂ２の周面には、この周面から切り取られたシートＳを医薬品の外形に合せて折り曲げ可能に、折り曲げ線Ｌ２３、Ｌ２４が付けられる。そして、このシートＳ２で医薬品を包装しこの状態を固定保持するのに、輪ゴム、紐を含む結束部材が用いられる。
【００１８】
この包装用箱Ｂ２は、図７、図８及び図９に示すように、４側面（２１１）２１２−２１５と、４側面（２１１）２１２−２１５の両端を封じる蓋２２０，２２１、２２２，２２３とを備えて構成される。この場合、４側面（２１１）２１２−２１５はそれぞれ左右に長い長方形に形成され、この４側面（２１１）２１２−２１５の左右両端にそれぞれ蓋２２０，２２１、２２２，２２３が略台形に形成される。
切り取り線Ｃ２は、４側面２１１−２１５のうちの少なくとも連接される３側面２１３−２１５間に跨って付設される。この場合、切り取り線Ｃ２は、箱Ｂ２の上面２１３、背面２１４及び下面２１５の３側面間に跨って、他端に半円の凹形状を有し、医薬品を被包可能な大きさの複合形状に、この場合、一端側が大きい長方形状に、他端側が台形及び他端部に凹部を有する小さい長方形を合せた形状に付けられる。この場合、大きい長方形状の切り取り線Ｃ２１は、箱Ｂ２の上面２１３の、上面２１３と正面２１２との間の折り曲げ部（Ｌ２２）から下面２１５と背面２１４との間の折り曲げ部（Ｌ２４）付近までミシン目線により形成される。台形と他端部に凹部を有する小さい長方形を合せた形状の切り取り線Ｃ２２は、大きい長方形の切り取り部線Ｃ２１に連続して箱Ｂ２の背面２１４の、背面２１４と下面２１５との間の折り曲げ部（Ｌ２４）付近から下面２１５と正面２１２との間の折り曲げ部（Ｌ２１）付近までミシン目線により形成される。
折り曲げ線は、箱Ｂ２の連接される３側面間に付けられたこの箱Ｂ２を箱形にするための折り曲げ線Ｌ２３、Ｌ２４のみとしてある。
なお、箱Ｂ２の正面２１２の右側縁部側に右端面の蓋２２１を切り離すための破断線Ｃ２３１が略台形の溝形に、さらにその両端から右側縁部に沿って直線状に形成され、正面２１２の左側縁部側にこの箱Ｂ２を廃棄するときに、箱Ｂ２が折り畳みやすくなるように、左端面の蓋２２０を切り離すための破断線Ｃ２３２が略円弧状に形成される。
【００１９】
この情報・包装シート付き包装用箱Ｂ２は、一枚のブランクシートから一体的に打ち抜かれて形成された一枚の紙基材（Ｐ２）からなり、この紙基材（Ｐ２）は各部が順次折り曲げられ、所定の各接着位置が接着固定されて組み立てられる。
【００２０】
図１０にこの紙基材Ｐ２を示している。なお、この図１０には紙基材Ｐ２の表面（組み立て後に表側となる面）が現れている。
図１０に示すように、この紙基材Ｐ２は、全体が左右方向に長い直方体形状に組み立て可能に、直方体形状に組み立て後の状態で、正面２１２と下面２１５との連結面２１１、正面２１２、上面２１３、背面２１４、及び下面２１５をなす相互に折り曲げ線Ｌ２１−Ｌ２４を介して連接して形成される４側面形状部Ｐ２１１−Ｐ２１５（連結面形状部Ｐ２１１、正面形状部Ｐ２１２、上面形状部Ｐ２１３、背面形状部Ｐ２１４、及び下面形状部Ｐ２１５）と、連結面形状部Ｐ２１１及び上面形状部Ｐ２１３の左右方向の両端にそれぞれ折り曲げ線Ｌ２５，Ｌ２６及びＬ２７，Ｌ２８を介して形成され、直方体形状に組み立て後の状態で下面左フラップ２１６、下面右フラップ２１７及び上面左フラップ２１８、上面右フラップ２１９をなす下面左フラップ形状部Ｐ２１６、下面右フラップ形状部Ｐ２１７及び上面左フラップ形状部Ｐ２１８、上面右フラップ形状部Ｐ２１９と、正面形状部Ｐ２１２の左方向の一端に折り曲げ線Ｌ２９を介して形成され、直方体形状に組み立て後の状態で左端面外蓋２２０をなす左端面外蓋形状部Ｐ２２０及び正面形状部Ｐ２１２の右方向の一端に折り曲げ線Ｌ３０を介して形成され、直方体形状に組み立て後の状態で右端面内蓋２２１をなす右端面内蓋形状部Ｐ２２１と、背面形状部Ｐ２１４の左方向の一端に折り曲げ線Ｌ３１を介して形成され、直方体形状に組み立て後の状態で左端面内蓋２２２をなす左端面内蓋形状部Ｐ２２２及び背面形状部Ｐ２１４の右方向の一端に折り曲げ線Ｌ３２を介して形成され、直方体形状に組み立て後の状態で右端面外蓋２２３をなす右端面外蓋形状部Ｐ２２３と、を有する。
この場合、４側面形状部Ｐ（２１１）２１２−Ｐ２１５のうち、連結面形状部Ｐ２１１、正面形状部Ｐ２１２、上面形状部Ｐ２１３、背面形状部Ｐ２１４はそれぞれ左右方向に長い長方形に、下面形状部Ｐ２１５は左右方向に長い台形に形成され、正面形状部Ｐ２１２、背面形状部Ｐ２１４（の上下方向の高さ）がそれぞれ連結面形状部Ｐ２１１、上面形状部Ｐ２１３、下面形状部Ｐ２１５（の前後方向の長さ）よりも少し大きく形成される。また、連結面形状部Ｐ２１１は上面形状部Ｐ２１３と同じ大きさ、形状に形成される。左端面外蓋形状部Ｐ２２０、右端面内蓋形状部Ｐ２２１、左端面内蓋形状部Ｐ２２２、右端面外蓋形状部Ｐ２２３はそれぞれ略台形状に形成され、各フラップ形状部Ｐ２１６、Ｐ２１８はそれぞれ略四角形に形成され、各フラップ形状部Ｐ２１７は略逆Ｌ字形に、Ｐ２１９は略Ｌ字形にそれぞれ形成され、左端面内蓋形状部Ｐ２２２、右端面内蓋形状部Ｐ２２１はそれぞれ、各フラップ形状部Ｐ２１６、Ｐ２１７、Ｐ２１８、Ｐ２１９よりも大きく形成され、左端面外蓋形状部２２０、右端面外蓋形状部２２３はそれぞれ、左端面内蓋形状部Ｐ２２２、右端面内蓋形状部Ｐ２２１よりも少し大きく形成される。
また、この場合、正面形状部Ｐ２１２の右側縁部側に右端面内蓋形状部Ｐ２２１を切り離すための破断線Ｃ２３１が略台形の溝形に、さらにその両端から折り曲げ線Ｌ３０上に沿って直線状に形成され、この正面形状部Ｐ２１２の左側縁部側に、この箱Ｂ２を廃棄するときに、箱Ｂ２が折り畳みやすくなるように、左端面外蓋形状部Ｐ２２０を切り離すための破断線Ｃ２３２が折り曲げ線Ｌ２９の両端付近から正面形状部Ｐ２１２内に略円弧状に形成される。また、連結面形状部Ｐ２１１の略中央に、後述する下面形状部Ｐ２１５の凹形状の切り取り線（切り取り線Ｃ２の他端）に対応して凹形状の切り込みＣ４が形成され、箱Ｂ２の組み立て状態で切り取り線Ｃ２の凹形状の外側部分を押し込みやすくして凹形状の切り取り線を切り離ししやすくしている。
そして、この紙基材Ｐ２においては、箱Ｂ２の正面２１２をなす正面形状部Ｐ２１２、上面２１３をなす上面形状部Ｐ２１３、背面２１４をなす背面形状部Ｐ２１４及び下面２１５をなす下面形状部Ｐ２１５の連接する３側面形状部に跨って、切り取り線Ｃ２が他端に半円の凹形状を有して、物品を包装可能な大きさの複合形状に、この場合、一端側から順に大きい長方形と、台形及び他端部に凹部を有する小さい長方形を合せた形状とからなる複合形状に付されて、この箱Ｂ２に包装される医薬品に関する各種の情報を表示し、かつこの箱Ｂ２の開封後の医薬品を簡易に包装するための情報・包装シートＳ２が切り取り可能に形成される。
この場合、大きい長方形の切り取り線Ｃ２１は、上面形状部Ｐ２１３の、上面形状部Ｐ２１３と正面形状部Ｐ２１２との間の折り曲げ線Ｌ２２から背面形状部Ｐ２１４と下面形状部Ｐ２１５との間の折り曲げ部Ｌ２４付近までミシン目線により形成される。台形と一端部に凹部を有する小さい長方形を合せた形状の切り取り線Ｃ２２は、大きい長方形の切り取り線Ｃ２１に連続して背面形状部Ｐ２１４の、背面形状部Ｐ２１４と下面形状部Ｐ２１５との間の折り曲げ線Ｌ２４付近から下面形状部Ｐ２１５の端縁付近までミシン目線により形成される。
紙基材Ｐ２はこのようにして形成され、この紙基材Ｐ２の４側面形状部Ｐ２１２−Ｐ１５や左右の外蓋形状部Ｐ２２０、Ｐ２２３などに医薬品に関する各種の情報が印刷され、特に、上面形状部Ｐ２１３、背面形状部Ｐ２１４及び下面形状部Ｐ２１５の連接する３側面形状部のシートＳ内には、とりわけ医療機関で利用性の高い情報が記入される。
【００２１】
このようにしてこの紙基材Ｐ２は各形状部Ｐ２１１−Ｐ２２３が各折り曲げ線Ｌ２１−Ｌ３２を介して折り曲げられ、左右方向に長い直方体形状の箱形に組み立てられる。すなわち、正面２１２をなす正面形状部Ｐ２１２に対して連結面形状部Ｐ２１１が折り曲げ線Ｌ２１を介して直角に折り曲げられて連結面２１１をなし、同様に、正面形状部Ｐ２１２に対して上面形状部Ｐ２１３が折り曲げ線Ｌ２２を介して直角に折り曲げられて上面２１３をなし、この上面２１３に対して背面形状部Ｐ２１４が折り曲げ線Ｌ２３を介して直角に折り曲げられて背面２１４をなす。そして、この背面２１４に対して下面形状部Ｐ２１５が折り曲げ線Ｌ２４を介して直角に折り曲げられ、連結面２１１の外側に重合されて下面２１５をなす。この下面２１５の内側で下面２１５と連結面２１１が糊を介して連結され、これにより４側面（２１１）２１２−２１５が組み立てられる。この状態から、上面２１３、連結面２１１の左右の各フラップ形状部Ｐ２１８，Ｐ２１９、Ｐ２１６，Ｐ２１７が折り曲げ線Ｌ２７，Ｌ２８、Ｌ２５，Ｌ２６を介して直角に折り曲げられて左右の各フラップ２１８，２１９、２１６，２１７をなし、正面２１２、背面２１４の各内蓋形状部Ｐ２２１、Ｐ２２２が折り曲げ線Ｌ３０、Ｌ３１を介して直角に折り曲げられて左右の内蓋２２１、２２２をなし、正面２１２、背面２１４の各外蓋形状部Ｐ２２０、Ｐ２２３が折り曲げ線Ｌ２９、Ｌ３２を介して直角に折り曲げられて左右の外蓋２２０、２２３をなし、それぞれが順次重合される。そして、各外蓋２２０、２２３の内側で各外蓋２２０、２２３と各内蓋２２２、２２１が糊を介して連結されることにより、左右の端面が封止される。これにより、この紙基材Ｐ２は直方体形状の箱形に組み立てられ、この場合、上面２１３、背面２１４及び下面２１５の３側面間に情報・包装シートＳ２が切り取り可能に設けられる。
【００２２】
包装用箱Ｂ２はこのようにして構成され、錠剤やカプセルなどの医薬品は複数個ずつ１枚のＰＴＰシート（プレススルーパックシート）に収納されて、このＰＴＰシートが所定の枚数ずつこの包装用箱Ｂ２に包装され、調剤薬局などの医療機関へ供給される。
そして、医療機関では、この包装用箱Ｂ２に収容された医薬品を使用するに際し、包装用箱Ｂ２を開封し、必要に応じて、この箱Ｂ２の上面２１３、背面２１４及び下面２１５の３側面から情報・包装シートＳ２を切り取って使用することになる。
この情報・包装シートＳ２を使用する場合は、図１１に示すように、他端の半円の凹形状の外側を指先で押圧することにより、この半円の凹形状の外側が連結面２１１の半円形の切り込みＣ４内に案内されて箱Ｂ２の内方へ簡単に押し込まれて、この凹形状の内側の内面側に指を差し入れることができ、この凹形状の内側の内面側を係止部にして情報・包装シートＳ２を引き上げることにより、このシートＳ２をミシン目線に沿って切り取ることができる。図１２に示すように、切り取った情報・包装シートＳ２を折り曲げ線Ｌ２３、Ｌ２４にしたがって断面コ字形に折り曲げ、その中にすべて（複数枚）のＰＴＰシートを差し入れる。そして、この情報・包装シートＳ２の上から輪ゴムを掛けて全体を結束する。このようにして医薬品を情報・包装シートＳ２により包装して保管棚に備え置く。これにより、複数枚のＰＴＰシートは保管棚でばらつくことなく、整然と保管される。この医薬品の保管中、必要に応じて、情報・包装シートＳ２からその医薬品に関する情報を確認することができる。この情報・包装シートＳ２の場合、紙面が大きいので、医薬品に関する情報を広範囲に載せることができ、医薬品に関する情報を十分に提供することができる。また、情報量が少ない場合は、その分だけ、文字の大きさを大きくすることができ、情報を見やすくすることもできる。
なお、この箱Ｂ２の場合も、上記包装用箱Ｂ１と同様に、情報・包装シートＳ２に補助折り曲げ線を設けておくことで、医薬品の供給毎にＰＴＰシートの嵩が徐々に減って、このＰＴＰシートの嵩と情報・包装シートＳ２の上下の面（箱Ｂ２のときの上面２１３と下面２１５）の間隔が合わなくなったときに、この情報・包装シートＳ２をＰＴＰシートの嵩に合せて折り曲げて、ＰＴＰシートの嵩と情報・包装シートＳ２の上下の面の間隔とを合わせることができる。
【００２３】
このようにしても上記実施の形態と同様の作用効果を奏することができる。
【００２４】
図１３、図１４に第３の実施の形態を示している。
図１３、図１４に示すように、情報・包装シート付き包装用箱Ｂ３（この実施の形態の説明において、単に包装用箱Ｂ３、箱Ｂ３と称する場合がある。）は、上記包装用箱Ｂ１、Ｂ２と同様に、箱Ｂ３の周面にこの箱Ｂ３に収容する医薬品を被包可能な大きさ、形状に切り取り線Ｃ３を付設されて、箱Ｂ３の周面に医薬品を包装可能なシートＳを切り取り可能に備え、このシートＳをシートＳの表面に医薬品に関する各種の情報を表示して情報シートとして、また、医薬品を簡易に包装するための包装シートとして兼用する情報、包装シートＳ３として使用するものである。
また、この包装用箱Ｂ３の場合、切り取り線Ｃ３は、上記包装用箱Ｂ１、Ｂ２とは異なり、他端に切り取り始端として凸形状を有する切り取り線（図１５参照）になっており、また、箱Ｂ３の周面には、この周面から切り取られたシートＳを医薬品の外形に合せて折り曲げ可能に、折り曲げ線Ｌ３４、Ｌ３３−１が付けられる。なお、このシートＳ３では医薬品を包装しこの状態を固定保持するのに、輪ゴム、紐などの結束部材を用いていない。但し、結束部材を用いることは任意である。
【００２５】
この包装用箱Ｂ３は、図１３、図１４に示すように、４側面（３１１）３１２−３１５と、４側面（３１１）３１２−３１５の両端を封じるフラップ３１６，３１７、３１８，３１９（図１５参照）、及び蓋３２０，３２１、３２２，３２３とを備えて構成される。この場合、４側面（３１１）３１２−３１５はそれぞれ左右に長い長方形に形成され、この４側面（３１１）３１２−３１５の左右両端にそれぞれ、フラップ３１６，３１７、３１８，３１９が略台形に、蓋３２０，３２１、３２２，３２３が略台形に形成される。
切り取り線Ｃ３（Ｃ３１、Ｃ３２、Ｃ３３）は、４側面（３１１）３１２−３１５のうちの少なくとも連接される３側面３１３−３１５と他の側面との間、３側面３１３−３１５のうち両端に蓋又はフラップを有する側面とその両端の蓋又はフラップとの間、さらに３側面３１３−３１５のうちの他端側の側面内に付設される。この場合、切り取り線Ｃ３１は、箱Ｂ３の３側面３１３−３１５のうちの背面３１３と下面３１２との間の折り曲げ線Ｌ３２上に全体に亘ってミシン目線により形成される。切り取り線Ｃ３２は、箱のＢ３の３側面３１３−３１５のうち背面３１３とその両端の蓋３２０、３２１との間の折り曲げ線Ｌ４１、Ｌ４２上にそれぞれジッパー線により形成される。なお、この切り取り線Ｃ３２は、背面３１３とその両端の蓋３２０、３２１との間の折り曲げ線Ｌ４１、Ｌ４２上に代えて、上面３１４とその両端のフラップ３１８、３１９（図１５参照）との間の折り曲げ線Ｌ３７、Ｌ３８上に形成されてもよい（この場合は、背面３１３の両端の蓋３２０、３２１を切り取らず残しておくようにする。）。切り取り線Ｃ３３は、３側面３１３−３１５のうちの他端側の側面である正面３１５内に、正面３１５の下部中央にその下端縁の所定幅を切り取り始端としてその両端から上方に向けて少し所定の高さまで直線状に、そしてその上端から続けて正面３１５の左右方向両側まで斜め上方に向けて直線状に、それぞれ、ミシン目線により形成される。なお、この切り取り線３３において、切り取り始端とその両端のミシン目線により取り囲まれた部分は切り取り用のつまみＳ３１となる。
折り曲げ線は、箱Ｂ３の少なくとも連接される３側面３１３−３１５間に付けられ、箱Ｂ３を（本来）箱形にするための折り曲げ線Ｌ３３、Ｌ３４と、３側面３１３−３１５のうち他端側の面又は一端側の面、この場合は、一端側の面の背面３１３に各折り曲げ線Ｌ３３、Ｌ３４と平行に付けられ、他端側の面である正面３１５と一端側の面の背面３１３とをこれらの面３１５、３１３の間の面である上面３１４上に重合して折り畳むための補助折り曲げ線Ｌ３３−１とからなる。
なお、箱Ｂ３の背面３１３の左右両端の各蓋３２０、３２１と連結面３１１の左右両端の各蓋３２２、３２３は糊（ホットメルトなど）により封止されるため、背面３１３両端の各蓋３２０、３２１には糊の食いつきをよくするための半切れのミシン刃３２０Ｋ、３２１Ｋ（図１５参照）が付され、連結面３１１両端の各蓋３２２、３２３には封止後の蓋３２２、３２３を開封するための切り取り線３２２Ｃ、３２３Ｃがジッパー線により略上下方向に向けて略くの字形又は略逆くの字形に形成され、その切り取り線３２２Ｃ、３２３Ｃの中間に蓋３２２、３２３を開封する際に指先を掛けるための穴３２２Ａ、３２３Ａが設けられる。また、開封後の各蓋３２０、３２１と各蓋３２２、３２３とを再封止できるようするため、各蓋３２０、３２１の端部中央には係止爪３２０Ｔ、３２１Ｔ（図１５参照）が略四角形に突設され、各蓋３２２、３２３には穴３２２Ａ、３２３Ａに対して内側（折り曲げ線Ｌ３９、Ｌ４０側）に各蓋３２０、３２１の各係止爪３２０Ｔ、３２１Ｔを挿入係止するための切り込み３２２Ｋ、３２３Ｋが略コ字形又は略逆コ字形に形成される。さらに、この箱Ｂ３から切り取られたシートＳを包装シートＳ３として使用する場合に、医薬品の包装後の包装シートＳ３を封じるようにするため、正面３１５に設けられたつまみＳ３１を係止爪として利用し、背面３１３の略中央にはその係止爪Ｓ３１に係合可能に切り込み３１３Ｋが略円弧状に形成される。
【００２６】
この情報・包装シート付き包装用箱Ｂ３は、一枚のブランクシートから一体的に打ち抜かれて形成された一枚の紙基材（Ｐ３）からなり、この紙基材（Ｐ３）は各部が順次折り曲げられ、所定の各接着位置が接着固定されて組み立てられる。
【００２７】
図１５にこの紙基材Ｐ３を示している。なお、この図１５には紙基材Ｐ３の表面（組み立て後に表側となる面）が現れている。
図１５に示すように、この紙基材Ｐ３は、全体が左右方向に長い直方体形状に組み立て可能に、直方体形状に組み立て後の状態で、正面３１５と下面３１２との連結面３１１、下面３１２、背面３１３、上面３１４、及び正面３１５をなす相互に折り曲げ線Ｌ３１−Ｌ３４を介して連接して形成される４側面形状部Ｐ３１１−Ｐ３１５（連結面形状部Ｐ３１１、下面形状部Ｐ３１２、背面形状部Ｐ３１３、上面形状部Ｐ３１４、及び正面形状部Ｐ３１５）と、下面形状部Ｐ３１２及び上面形状部Ｐ３１４の左右方向の両端にそれぞれ折り曲げ線Ｌ３５，Ｌ３６及びＬ３７，Ｌ３８を介して形成され、直方体形状に組み立て後の状態で下面左フラップ３１６、下面右フラップ３１７及び上面左フラップ３１８、上面右フラップ３１９をなす下面左フラップ形状部Ｐ３１６、下面右フラップ形状部Ｐ３１７及び上面左フラップ形状部Ｐ３１８、上面右フラップ形状部Ｐ３１９と、連結面形状部Ｐ３１１の左右方向の両端に折り曲げ線Ｌ３９、Ｌ４０を介して形成され、直方体形状に組み立て後の状態で左端面外蓋３２２、右端面外蓋３２３をなす左端面外蓋形状部Ｐ３２２及び右端面外蓋形状部Ｐ３２３と、背面形状部Ｐ３１３の左右方向の両端に折り曲げ線Ｌ４１、Ｌ４２を介して形成され、直方体形状に組み立て後の状態で左端面内蓋３２０、右端面外蓋３２１をなす左端面内蓋形状部Ｐ３２０及び右端面内蓋形状部Ｐ３２１と、を有する。
この場合、４側面形状部Ｐ（３１１）３１２−Ｐ３１５のうち、連結面形状部Ｐ３１１、下面形状部Ｐ３１２、背面形状部Ｐ３１３、上面形状部Ｐ３１４、正面形状部Ｐ３１５はそれぞれ左右方向に長い長方形に形成され、連結面形状部Ｐ３１１、背面形状部Ｐ３１３、正面形状部Ｐ３１５（の上下方向の高さ）はそれぞれ略同じ大きさで、下面形状部Ｐ３１２、上面形状部Ｐ３１４（の前後方向の長さ）よりも少し大きく形成される。なお、連結面形状部Ｐ３１１は折り曲げ線Ｌ３１とは反対側の端部中央が略台形に切り欠かれる。左端面外蓋形状部Ｐ３２２、右端面外蓋形状部Ｐ３２３、左端面内蓋形状部Ｐ３２０、右端面内蓋形状部Ｐ３２１はそれぞれ略台形状に形成され、各フラップ形状部Ｐ３１６、Ｐ３１７、Ｐ３１８、Ｐ３１９はそれぞれ略台形に形成され、左端面内蓋形状部Ｐ３２０、右端面内蓋形状部Ｐ３２１はそれぞれ、各フラップ形状部Ｐ３１６、Ｐ３１７、Ｐ３１８、Ｐ３１９よりも大きく形成され、左端面外蓋形状部３２２、右端面外蓋形状部３２３はそれぞれ、左端面内蓋形状部Ｐ３２０、右端面内蓋形状部Ｐ３２１よりも少し大きく形成される。
また、この場合、背面形状部Ｐ３１３の左右両端の各内蓋形状部Ｐ３２０、Ｐ３２１と連結面形状部Ｐ３１１の左右両端の各外蓋形状部Ｐ３２２、Ｐ３２３は糊（ホットメルトなど）により封止されるため、背面形状部Ｐ３１３両端の各内蓋形状部Ｐ３２０、Ｐ３２１の表面には糊の食いつきをよくするための半切れのミシン刃３２０Ｋ、３２１Ｋが付され、連結面形状部Ｐ３１１両端の各外蓋形状部Ｐ３２２、Ｐ３２３には封止後の外蓋形状部Ｐ３２２、Ｐ３２３を開封するための切り取り線３２２Ｃ、３２３Ｃがジッパー線により略上下方向に向けて略くの字形又は略逆くの字形に形成され、その切り取り線３２２Ｃ、３２３Ｃの中間に外蓋形状部Ｐ３２２、Ｐ３２３を開封する際に指先を掛けるための穴３２２Ａ、３２３Ａが設けられる。また、開封後の各内蓋形状部Ｐ３２０、Ｐ３２１と各外蓋形状部Ｐ３２２、Ｐ３２３とを再封止できるようするため、各内蓋形状部Ｐ３２０、Ｐ３２１の端部中央には係止爪３２０Ｔ、３２１Ｔが略四角形に突設され、各外蓋形状部Ｐ３２２、Ｐ３２３には穴３２２Ａ、３２３Ａに対して内側（折り曲げ線Ｌ３９、Ｌ４０側）に各内蓋形状部Ｐ３２０、Ｐ３２１の各係止爪３２０Ｔ、３２１Ｔを挿入係止するための切り込み３２２Ｋ、３２３Ｋが略コ字形又は略逆コ字形に形成される。さらに、この箱Ｂ３から切り取られたシートＳを包装シートＳ３として使用する場合に、３側面形状部Ｐ３１３−Ｐ３１５のうち他端側の側面形状部又は一端側の側面形状部、この場合は、一端側の側面形状部である背面形状部Ｐ３１３の、上面形状部Ｐ３１４側の所定の位置に、正面形状部Ｐ３１５と背面形状部Ｐ３１３とをこれらの側面形状部Ｐ３１５、Ｐ３１３の間の側面形状部である上面形状部Ｐ３１４上に重合して折り畳むための補助折り曲げ線Ｌ３３−１が各折り曲げ線Ｌ３３、Ｌ３４と平行に付けられる。また、医薬品の包装後の包装シートＳ３を封じるようにするため、正面形状部Ｐ３１５に設けられるつまみＳ３１を係止爪として利用し、背面形状部３１３の略中央にはその係止爪Ｓ３１に係合可能に切り込み３１３Ｋが略円弧状に形成される。さらに、上面形状部Ｐ３１４両端の各フラップ形状部Ｐ３１８、Ｐ３１９の一部を包装シートＳ３のマチとして使用するため、上面形状部Ｐ３１４と各フラップ形状部Ｐ３１８、Ｐ３１９との間の折り曲げ線Ｌ３７、Ｌ３８上で正面形状部Ｐ３１５側の所定の位置からそれぞれこれら折り曲げ線Ｌ３７、Ｌ３８の外側に所定の角度の斜めに向けて折り曲げ線Ｌ４３、Ｌ４４がミシン目線により付けられる。
そして、この紙基材Ｐ３からシートＳを切り取り可能にするため、切り取り線Ｃ３（Ｃ３１、Ｃ３２、Ｃ３３）が、４側面形状部（Ｐ３１１）Ｐ３１２−Ｐ３１５のうちの少なくとも連接される３側面形状部Ｐ３１３−Ｐ３１５と他の側面形状部との間、３側面形状部Ｐ３１３−Ｐ３１５のうち両端に蓋形状部又はフラップ形状部を有する側面形状部とその両端の蓋形状部又はフラップ形状部との間、さらに３側面形状部Ｐ３１３−Ｐ３１５のうちの他端側の側面形状部内に付設される。この場合、切り取り線Ｃ３１は、箱Ｂ３の３側面形状部Ｐ３１３−Ｐ３１５のうちの背面形状部Ｐ３１３と下面形状部Ｐ３１２との間の折り曲げ線Ｌ３２上に全体に亘ってミシン目線により形成される。切り取り線Ｃ３２は、箱Ｂ３の３側面形状部Ｐ３１３−Ｐ３１５のうち背面形状部Ｐ３１３とその両端の蓋形状部Ｐ３２０、Ｐ３２１との間の折り曲げ線Ｌ４１、Ｌ４２上にジッパー線により形成される。なお、この切り取り線Ｃ３２は、背面形状部Ｐ３１３とその両端の蓋形状部Ｐ３２０、Ｐ３２１との間の折り曲げ線Ｌ４１、Ｌ４２上に代えて、上面形状部Ｐ３１４とその両端のフラップ形状部Ｐ３１８、Ｐ３１９との間の折り曲げ線Ｌ３７、Ｌ３８上に形成されてもよい。切り取り線Ｃ３３は、３側面形状部Ｐ３１３−Ｐ３１５のうちの他端側の側面形状部である正面形状部Ｐ３１５内に、正面形状部Ｐ３１５の上部中央にその上端縁の所定幅を切り取り始端としてその両端から下方に向けて少し所定の高さまで直線状に、そしてその下端から続けて正面形状部Ｐ３１５の左右方向両側まで斜め下方に向けて直線状に、それぞれ、ジッパー線より形成される。この切り取り線３３において、切り取り始端とその両端のジッパー線により取り囲まれた部分が切り取り用のつまみＳ３１となる。
紙基材Ｐ３はこのようにして形成され、この紙基材Ｐ３の４側面形状部Ｐ３１２−Ｐ３１５や左右の外蓋形状部Ｐ３２２、Ｐ３２３などに医薬品に関する各種の情報が印刷され、特に、背面形状部Ｐ３１３、上面形状部Ｐ３１４及び正面形状部Ｐ３１５の連接する３側面形状部内のシートＳには、とりわけ医療機関で利用性の高い情報が記入される。
【００２８】
このようにしてこの紙基材Ｐ３は各形状部Ｐ３１１−Ｐ３２３が各折り曲げ線Ｌ３１−Ｌ４２を介して折り曲げられ、左右方向に長い直方体形状の箱形に組み立てられる。すなわち、下面３１２をなす下面形状部Ｐ３１２に対して連結面形状部Ｐ３１１が折り曲げ線Ｌ３１を介して直角に折り曲げられて連結面３１１をなし、同様に、下面形状部Ｐ３１２に対して背面形状部Ｐ３１３が折り曲げ線Ｌ３２を介して直角に折り曲げられて下面３１２、背面３１３をなし、この背面３１３に対して上面形状部Ｐ３１４が折り曲げ線Ｌ３３を介して直角に折り曲げられて上面３１４をなす。そして、この上面３１４に対して正面形状部Ｐ３１５が折り曲げ線Ｌ３４を介して直角に折り曲げられ、連結面３１１の外側に重合されて正面３１５をなす。この正面３１５の内側で正面３１５と連結面３１１が糊を介して連結され、これにより４側面（３１１）３１２−３１５が組み立てられる。この状態から、上面３１４、下面３１２の左右の各フラップ形状部Ｐ３１８，Ｐ３１９、Ｐ３１６，Ｐ３１７が折り曲げ線Ｌ３７，Ｌ３８、Ｌ３５，Ｌ３６を介して直角に折り曲げられて左右の各フラップ３１８，３１９、３１６，３１７をなし、背面３１３の左右の各内蓋形状部Ｐ３２０、Ｐ３２１が折り曲げ線Ｌ４１、Ｌ４２を介して直角に折り曲げられて左右の内蓋３２０、３２１をなし、連結面３１１の左右の各外蓋形状部Ｐ３２２、Ｐ３２３が折り曲げ線Ｌ３９、Ｌ４０を介して直角に折り曲げられて左右の外蓋３２２、３２３をなし、それぞれが順次重合される。そして、各外蓋３２２、３２３の内側で各外蓋３２２、３２３と各内蓋３２０、３２１が糊を介して連結されることにより、左右の端面が封止される。これにより、この紙基材Ｐ３は直方体形状の箱形に組み立てられ、この場合、正面３１５、上面３１４及び背面３１３の３側面間に情報・包装シートＳ３が切り取り可能に設けられる。
【００２９】
包装用箱Ｂ３はこのようにして構成され、錠剤やカプセルなどの医薬品は複数個ずつ１枚のＰＴＰシート（プレススルーパックシート）に収納されて、このＰＴＰシートが所定の枚数ずつこの包装用箱Ｂ３に包装され、調剤薬局などの医療機関へ供給される。
医療機関では、この包装用箱Ｂ３に収容された医薬品を保管棚などに備え置き、使用に際し、包装用箱Ｂ３の左右いずれかの蓋３２２，３２０、３２３，３２１を切り取り線３２２Ｃ又は３２３Ｃを使って開封し、箱Ｂ３から医薬品を取り出していく。この医薬品の保管中、必要に応じて、箱Ｂ３のシートＳ内の医薬品に関する情報を確認することができる。そして、この医薬品の消費とともに医薬品の残量が少なくなったところで、必要に応じて、この箱Ｂ３の正面３１５、上面３１４及び背面３１３の３側面からシートＳを切り取ってこれを情報・包装シートＳ３として使用することができる。
この情報・包装シートＳ３を使用する場合、他端のつまみＳ３１の切り取り始端を指先で引き上げてつまみＳ３１をつまみ、情報・包装シートＳ３をつまみＳ３１側から徐々に引き上げていくことにより、このシートＳ３を切り取り線Ｃ３（Ｃ３３、Ｃ３２、Ｃ３１）に沿って切り取ることができる。続いて、図１６、図１７に示すように、切り取った情報・包装シートＳ３の箱Ｂ３の状態で上面３１４をなす面上に箱Ｂ３の状態で上面３１４両端のフラップ３１８、３１９をなす各面を折り曲げ線Ｌ３７、Ｌ３８に沿って折り曲げ、その上に、図１８に示すように、箱Ｂ３の状態で背面３１３をなす面を折り曲げ線Ｌ３３−１に沿って折り曲げ、さらにその上に、図１９に示すように、箱Ｂ３の状態で正面３１５をなす面を折り曲げ線Ｌ３４に沿って折り曲げることによって、この情報・包装シートＳ３は、箱Ｂ３の状態で上面３１４をなす面を底面、箱Ｂ３の状態でフラップ３１８、３１９をなす各面をマチ、箱Ｂ３の状態で背面３１３をなす面を内蓋、箱Ｂ３の状態で正面３１５をなす面を外蓋とする簡易なケースとして組み立てられ、外蓋（３１５）の係止爪Ｓ３１を内蓋（３１３）の切り込み３１３Ｋに挿入係止することにより、ケースは封止される。よって、このケースに、図２０に示すように、残りが少なくなった医薬品（ＰＴＰシート）を収容することで、コンパクトに保管することができる。このように少なくなってきた医薬品を情報・包装シートＳ３により包装することで、残りの医薬品を保管棚でコンパクトにばらつくことなく整然と保管することができる。そして、この場合も、必要に応じて、情報・包装シートＳ３からその医薬品に関する情報を確認することができる。この情報・包装シートＳ３の場合、紙面が大きいので、医薬品に関する情報を広範囲に載せることができ、医薬品に関する情報を十分に提供することができる。また、情報量が少ない場合は、その分だけ、文字の大きさを大きくすることができ、情報を見やすくすることもできる。
【００３０】
このようにしても上記各実施の形態と同様の作用効果を奏することができる。
【００３１】
なお、上記各実施の形態では、箱Ｂ１、Ｂ２、Ｂ３から切り取られたシートＳを、医薬品に関する各種の情報を表示する情報シートとして、また、医薬品を簡易に包装するための包装シートとして使用するものとしたが、このシートＳは情報シートとしてのみに使用することもでき、包装シートとしてのみに使用することもできる。
また、上記各実施の形態では、医薬品を包装するのに使用する情報シート付き包装用箱として例示したが、この情報・包装シート付き包装用箱は、医薬品に限定されることなく、各種の物品を包装する箱に同様に適用でき、同様の作用効果を奏することができる。
【符号の説明】
【００３２】
Ｂ１  情報・包装カード付き包装用箱
Ｓ  シート
Ｓ１  情報・包装シート
Ｃ１  切り取り線
Ｃ１１  凸形状の切り取り線
Ｃ１２  略矩形状の切り取り線
Ｃ３１  破断線
Ｃ３２  破断線
Ｌ１−Ｌ１２  折り曲げ線
１１  下面
１２  正面
１３  上面
１４  背面
１５  連結面
１６  下面左フラップ
１７  下面右フラップ
１８  上面左フラップ
１９  上面右フラップ
２０  左端面外蓋
２１  右端面内蓋
２２  左端面内蓋
２３  右端面外蓋
Ｐ１  紙基材
Ｐ１１  下面形状部
Ｐ１２  正面形状部
Ｐ１３  上面形状部
Ｐ１４  背面形状部
Ｐ１５  連結面形状部
Ｐ１６  下面左フラップ形状部
Ｐ１７  下面右フラップ形状部
Ｐ１８  上面左フラップ形状部
Ｐ１９  上面右フラップ形状部
Ｐ２０  左端面外蓋形状部
Ｐ２１  右端面内蓋形状部
Ｐ２２  左端面内蓋形状部
Ｐ２３  右端面外蓋形状部
Ｂ２  情報・包装カード付き包装用箱
Ｓ  シート
Ｓ２  情報・包装シート
Ｃ２  切り取り線
Ｃ２１  大きい長方形状の切り取り線
Ｃ２２  台形と他端部に凹部を有する長方形を合せた形状の切り取り線
Ｃ２３１  破断線
Ｃ２３２  破断線
Ｌ２１−Ｌ３２    折り曲げ線
２１１  連結面
２１２  正面
２１３  上面
２１４  背面
２１５  下面
２１６  下面左フラップ
２１７  下面右フラップ
２１８  上面左フラップ
２１９  上面右フラップ
２２０  左端面外蓋
２２１  右端面内蓋
２２２  左端面内蓋
２２３  右端面外蓋
Ｐ２  紙基材
Ｐ２１１  連結面形状部
Ｐ２１２  正面形状部
Ｐ２１３  上面形状部
Ｐ２１４  背面形状部
Ｐ２１５  下面形状部
Ｐ２１６  下面左フラップ形状部
Ｐ２１７  下面右フラップ形状部
Ｐ２１８  上面左フラップ形状部
Ｐ２１９  上面右フラップ形状部
Ｐ２２０  左端面外蓋形状部
Ｐ２２１  右端面内蓋形状部
Ｐ２２２  左端面内蓋形状部
Ｐ２２３  右端面外蓋形状部
Ｂ３  情報・包装カード付き包装用箱
Ｓ  シート
Ｓ３  情報・包装シート
Ｓ３１  つまみ（係止爪）
Ｃ３（Ｃ３１、Ｃ３２、Ｃ３３）  切り取り線
Ｌ３１−Ｌ４４  折り曲げ線
３１１  連結面
３１２  下面
３１３  背面
３１３Ｋ  切り込み
３１４  上面
３１５  正面
３１６  下面左フラップ
３１７  下面右フラップ
３１８  上面左フラップ
３１８Ｋ  切り込み
３１９  上面右フラップ
３２０  左端面内蓋
３２０Ｋ  半切れのミシン刃
３２０Ｔ  係止爪
３２１  右端面内蓋
３２１Ｋ  半切れのミシン刃
３２１Ｔ  係止爪
３２２  左端面外蓋
３２２Ｃ  切り取り線
３２２Ａ  穴
３２２Ｋ  切り込み
３２３  右端面外蓋
３２３Ｃ  切り取り線
３２３Ａ  穴
３２３Ｋ  切り込み
Ｐ３  紙基材
Ｐ３１１  連結面形状部
Ｐ３１２  下面形状部
Ｐ３１３  背面形状部
Ｐ３１４  上面形状部
Ｐ３１５  正面形状部
Ｐ３１６  下面左フラップ形状部
Ｐ３１７  下面右フラップ形状部
Ｐ３１８  上面左フラップ形状部
Ｐ３１９  上面右フラップ形状部
Ｐ３２０  左端面内蓋形状部
Ｐ３２１  右端面内蓋形状部
Ｐ３２２  左端面外蓋形状部
Ｐ３２３  右端面外蓋形状部
【図１】
0003199781.tif 000003
【図２】
0003199781.tif 000004
【図３】
0003199781.tif 000005
【図４】
0003199781.tif 000006
【図５】
0003199781.tif 000007
【図６】
0003199781.tif 000008
【図７】
0003199781.tif 000009
【図８】
0003199781.tif 000010
【図９】
0003199781.tif 000011
【図１０】
0003199781.tif 000012
【図１１】
0003199781.tif 000013
【図１２】
0003199781.tif 000014
【図１３】
0003199781.tif 000015
【図１４】
0003199781.tif 000016
【図１５】
0003199781.tif 000017
【図１６】
0003199781.tif 000018
【図１７】
0003199781.tif 000019
【図１８】
0003199781.tif 000020
【図１９】
0003199781.tif 000021
【図２０】
0003199781.tif 000022